(57)【要約】【課題】従来、空き間を有する収納庫の空き間部分は側板が固定式であった為に発生する、安全上、収納機能上、効率上の多様な問題点を使用目的に合致する空き間高さに設定できる収納庫を提供することによって解決しようとするのが課題である。【解決手段】上キャビネット１、或いは上天板４と下キャビネット３の中間に昇降装置２を設置し上キャビネット１、或いは上天板４を上昇或いは下降させる事により上キャビネット１、或いは上天板４と下キャビネット３の間の空き間部分高さを変更できる機能を持たせる事で課題を解決しようとする収納庫。【選択図】    図１
2005342358.tif 000002
【特許請求の範囲】
【請求項１】
上キャビネット、下キャビネット及びその中間に設置される昇降装置によって構成される構造をもつ収納庫であって、昇降装置はラチェット、油圧、ネジ或いは等間隔にあけられた孔をボルトで固定する方式等による上下可動機能をもったもので、これを上キャビネットと下キャビネットの間に取り付け、上キャビネットを上昇或いは下降させ上キャビネットと下キャビネットの間の空き間部分高さを変更できる機能を備えていることを特徴とする収納庫。
【請求項２】
上天板、下キャビネット及びその中間に設置される昇降装置によって構成される構造をもつ収納庫であって、昇降装置はラチェット、油圧、ネジ或いは等間隔にあけられた孔をボルトで固定する方式等による上下可動機能をもったもので、これを上天板と下キャビネットの間に取り付け、上天板を上昇或いは下降させ上天板と下キャビネットの間の空き間部分高さを変更できる機能を備えていることを特徴とする収納庫。
【請求項３】
請求項２の上天板上にキャビネットを設置する場合は請求項１に準ずる収納庫である。                             
【発明の詳細な説明】
【技術分野】
【０００１】
本発明は中間に空き間を有する収納庫に関するものである。        
【背景技術】
【０００２】
図３で示すように従来型の空き間部分を有する収納庫は６側板が固定式であり７空き間部分の高さが一定で変更できない形状、仕様が一般的である。例えば非特許文献１，２，３参照。
【非特許文献１】松下電工収納システム事業部  平成１６年３月  カタログ  キュビオス  ２５Ｐ
【非特許文献２】株式会社パモウナ  全商品カタログ  ０２−０３  Ｐ１１，Ｐ２９，Ｐ４３
【非特許文献３】株式会社綾野製作所  アスコットシリーズカタログ  ２００３  Ｐ３，Ｐ４，Ｐ５
【発明の開示】
【発明が解決しようとする課題】
【０００３】
課題は従来の空き間を有する収納庫は図３で示すように空き間部分７は側板６が固定されている為、希望する収納に高さが不足し収納できない場合や逆に空き間高さが高すぎる場合無駄な空間ができ、特に電気製品使用時、放熱、放蒸気に十分に必要な高さを確保することができない場合は安全上問題がある。以上のような、安全、収納機能、効率等の問題点を空き間部分の高さを使用目的にあわせ設定、変更できるようにする事により解決しようとすることである。
【課題を解決するための手段】
【０００４】
本発明は上キャビネット、下キャビネット及びその中間に設置される昇降装置によって構成される構造をもつ収納庫であって、昇降装置はラチェット、油圧、ネジ或いは等間隔にあけられた孔をボルトで固定する方式等による昇降機能をもったもので、これを上キャビネットと下キャビネットの間に取り付けることにより上キャビネットを上昇或いは下降させ上キャビネットと下キャビネットの間の空き間部分高さを変更することで課題を解決しようとするものである。
【０００５】
本発明は上天板、下キャビネット及びその中間に設置される昇降装置によって構成される構造をもつ収納庫であって、昇降装置はラチェット、油圧、ネジ或いは等間隔にあけられた孔をボルトで固定する方式等による昇降機能をもったもので、これを上天板と下キャビネットの間に取り付けることにより上天板を上昇或いは下降させ上天板と下キャビネットの間の空き間部分高さを変更することで課題を解決しようとするものである。又、上天板の上に上キャビネットを設置する場合も含まれる。
【発明の効果】
【０００６】
請求項１、２、３に記載の本発明では上キャビネット或いは上天板を上昇或いは下降させることにより、上キャビネット或いは上天板と下キャビネットの間に使用目的に合った高さに設定できる収納空間を確保できる。
【０００７】
家電製品収納の場合に於いては電機メーカーの要望する放熱、放蒸気に対応できる高さの収納空間の確保ができ、安全性の向上が図れると共に無駄な空間を少なくでき収納庫としての利便性、機能の向上ができる。
【０００８】
大掛かりな工事や建物に傷をつけることなく簡単に上キャビネット或いは上天板を昇降させ空き間高さを変更できる。
【発明を実施するための最良の形態】
【０００９】
以下本発明の収納庫を図面に示す実施例に従い説明する。図１は本発明の収納庫を示す。図１に示されるように収納庫は上キャビネット１と下キャビネット３の間に昇降装置２を設置し上キャビネット１を上昇或いは下降させ上キャビネット１と下キャビネット３の間の空き間部分高さを変更できる形態を示す。                          
【００１０】
図２は本発明の収納庫を示す。図２に示されるように収納庫は上天板４と下キャビネット３の間に昇降装置２を設置し上キャビネットを上昇或いは下降させ上天板４と下キャビネット３の間の空き間部分高さを変更できる形態を示す。
【実施例１】
【００１１】
以下、本発明の実施の形態を図面に基づいて説明する。図１は空き間を有する収納庫であり、上キャビネット１、下キャビネット３及びその中間に設置される昇降装置２によって構成され、昇降装置２はラチェット、油圧、ネジ或いは等間隔にあけられた孔をボルトで固定する方式等による上下昇降機能をもったもので、これを上キャビネット１と下キャビネット３の間に取り付けることにより上キャビネット１を上昇或いは下降させ上キャビネット１と下キャビネット３の間の空き間部分高さを変更することが可能なる収納庫を斜視図で示したものである。
【００１２】
図４は本発明収納庫の上キャビネット１と下キャビネット３の間に設置された昇降装置２により上キャビネット１を下降８或いは上昇９させ空き間部分の高さを変更した状態を説明する側面の実施例を示したものである。
【実施例２】
【００１３】
図２は上天板の下に空き間を有する収納庫であり、上天板４、下キャビネット３及びその中間に設置される昇降装置２によって構成され、昇降装置２はラチェット、油圧、ネジ或いは等間隔にあけられた孔をボルトで固定する方式等による上下昇降機能をもったもので、これを上天板４と下キャビネット３の間に取り付けることにより上天板４を上昇或いは下降させ上天板４と下キャビネット３の間の空き間部分高さを変更することが可能なる収納庫を斜視図で示したものである。又上キャビネット５を上天板４の上に設置した場合、実施例１に準じる収納庫を示す。
【００１４】
図５は本発明収納庫の上天板４と下キャビネット３の間に設置された昇降装置２により上天板４を下降１０或いは上昇１１させ空き間部分の高さを変更した状態を説明する側面の実施例を示したものである。
【図面の簡単な説明】
【００１５】
【図１】本発明の実施例１を示すものであり、上キャビネットを有する収納庫の斜視図である。
【図２】本発明の実施例２を示すものであり、上天板を有する収納庫及び付属の上キャビネットの斜視図である。
【図３】背景技術の説明に使われる従来型の空き間を有する収納庫の斜視図である。
【図４】本発明の実施例１を示す側面図である。
【図５】本発明の実施例２を示す側面図である。
【符号の説明】
【００１６】
１上キャビネット
２昇降装置
３下キャビンネット
４上天板
５付属上キャビネット
６側板
７空き間
８上キャビネット下降時
９上キャビネット上昇時
１０上天板下降時
１１上天板上昇時
【図１】
2005342358.tif 000003
【図２】
2005342358.tif 000004
【図３】
2005342358.tif 000005
【図４】
2005342358.tif 000006
【図５】
2005342358.tif 000007